(57)【特許請求の範囲】
【請求項１】
少なくとも表糸と裏糸で構成されるシングル丸編地であり、裏糸が表糸よりなる表１編目の内側に表糸と相似形状にニットにより配置される二重編目部と、裏糸が二重編目部の間で橋渡し状となる橋渡し部からなることを特徴とする二層構造シングル丸編地。
【請求項２】
表糸がニット、タック、ウエルトの少なくとも２種の編目形状に編成される請求項１記載の二層構造シングル丸編地。
【発明の詳細な説明】
【０００１】
【発明の属する技術分野】
本発明は、シングル丸編地に関するものである。さらに詳しくは本発明は、シングル丸編地でありながら軽量で嵩高性である二層構造丸編シングル丸編地に関するものである。
【０００２】
【従来の技術】
従来からシングル丸編地は衣料用編物として知られている。たとえば天竺組織、鹿の子組織などは、薄く、軽量でかつストレッチ性を有することから、Ｔシャツ、ポロシャツなどのシャツ類に多く使用されているが、その一方、物理的に不安定で、ボリューム感がなく、透けるなどの欠点があった。
【０００３】
そのほかシングル丸編地として、少なくとも３種類の糸により構成されるためボリューム感を有する裏毛組織が知られており、主にスエットスーツ、トレーナーなどに使用されているが、編地の目付が重くなり、ストレッチ性もなく、また裏毛組織は編地表面変化にも限界があり、ほとんどが表面のフラットなタイプのものしか得られないという欠点があった。
【０００４】
このため、通常のスポーツウェア類であるトレーニングウェア、野球ユニフォーム、スポーツシャツやインナーウェア類である秋冬向け保温肌着、ワーキングユニフォームなどには、ストレッチ性にかけるものの、生地のボリューム感と物性的に安定している両面丸編地が使用され、前述のような欠点を有するシングル丸編地が使用されることがないのが実情である。
【０００５】
【発明が解決しようとする課題】
本発明は、かかる従来のシングル丸編地の欠点を解決し、シングル丸編地のストレッチ性を維持しながら、軽量嵩高性に富み、かつ形態安定性と強度保持性を有し効率的に低コストで製造可能な衣料・資材用のシングル丸編地を提供することを目的とするものである。
【０００６】
【課題を解決するための手段】
前記した本発明の目的は、少なくとも表糸と裏糸で構成されるシングル丸編地であり、裏糸が表糸よりなる表１編目の内側に表糸と相似形状にニットにより配置される二重編目部と、裏糸が二重編目部の間で橋渡し状となる橋渡し部からなることを特徴とする二層構造シングル丸編地によって達成できる。また本発明の二層構造シングル丸編地においては、表糸がニット、タック、ウエルトの少なくとも２種の編目形状に編成されることが好ましい。
【０００７】
【発明の実施の形態】
以下、本発明の二層構造シングル丸編地について、図面を用い従来のシングル丸編地と比較しながら詳細に説明する。
【０００８】
なお図中、符号ａ〜ｈは１コースを形成させるに必要な表編目、イ〜ニは編地構成糸、Ａは表編目と裏糸の間に形成される空間、Ｃ１〜Ｃ８は編成に必要な編機の編針、▲１▼〜▲４▼は１コースを構成させるに必要な編機の給糸番号を示す。
【０００９】
図１〜３は本発明のコース方向編地断面モデル図の例であり、図７〜９はその各々に対応する編方図を示すものである。
【００１０】
また図４〜６は、従来のシングル丸編地である天竺組織と裏毛組織のコース方向編地断面モデル図の例であり、図１０〜１２はその各々に対応する編方図を示すものである。
【００１１】
まず、従来からの代表的なシングル丸編地である天竺組織と裏毛組織について説明する。図４と図１０は天竺組織、図５と図１１は天竺変形組織、図６と図１２は裏毛組織のそれぞれの例である。
【００１２】
図４の天竺組織は、表糸イの１種類のみの構成糸で１コースを形成する一層構造シングル丸編地であり、図１０における給糸口も▲１▼のみの１給糸で編成されている。この天竺組織においては他の図で見られる空間Ａが形成されない。
【００１３】
また、図５は天竺変形組織の一例であり、表糸イと表糸ニの２種類の構成糸で１コースを形成する一層構造シングル丸編地である。図１１における給糸口も最小▲１▼と▲２▼の２給糸で編成される。
【００１４】
表糸イはａ、ｃ、ｄ、ｅ、ｇ、ｈでニットによる編目を形成しｂとｆはウエルト状態を取る。一方、表糸ニは表糸イがウエルト状態であるｂとｆでニットによる編目を形成しａ、ｃ、ｄ、ｅ、ｇ、ｈでウエルト状態を取ることにより、表糸イと表糸ニの２種類の糸で１コースを形成する。
【００１５】
この編目においては、表糸イと表糸ニの間に空間Ａが形成されるが、表糸イと表糸ニが密着した状態のため、空間Ａは微小なものである。
【００１６】
また、図４と図５は共に天竺組織であり、薄く、軽く、ストレッチ性を有するものの、その編地構造から嵩高性が低くボリューム感を出すことができず、透け感もあり、かつ、破裂強力、ピリング、スナッグなど、強度保持性を主とする物性面で劣るため、その用途としてはシャツ類などの軽衣料に限定されるものである。
【００１７】
図６は同じくシングル丸編地の代表的な裏毛組織である。表糸イと中糸ハおよび裏糸ロの３種類の構成糸で１コースを形成する。裏糸ロは表糸イと中糸ハの間でタックされ編地裏側に配置され固定される。
【００１８】
図１２における給糸口▲１▼は特殊給糸口であり、表糸イと裏糸ロの２種類の糸が同時に給糸され、中糸ハを形成する給糸口▲２▼との計２給糸口で１コースが形成される三層構造シングル丸編地である。
【００１９】
この裏毛組織は３種類の糸で１コースが形成されるため、編地の目付が重くなり、かつ、裏糸ロがタック編された挿入糸であるためストレッチ性にも劣る。また、挿入糸である裏糸ロが小さな力で抜けやすいという基本的な問題点を持っている。
【００２０】
この組織は表糸イと裏糸ロの間に空間Ａが形成されるものの、裏糸ロがタック編による挿入糸であるため、安定した空間Ａの形状を取ることは不可能である。また、生産性にも劣るものである。
【００２１】
次に、本発明についての例である図１〜３および図７〜９について説明する。
【００２２】
図１および図７は本発明の基本編形態を示すものである。即ち、表糸イと裏糸ロの２種類の構成糸からなり、表糸イはニットにより表編目ａ、ｂ、ｃ、ｄ、ｅ、ｆ、ｇ、ｈで１コースを形成する。裏糸ロは表編目ｂの内側に相似形状で配置され二重編目を形成した後、表編目ｃ、ｄ、ｅの裏側を橋渡し状に３編目飛ばし、表編目ｆの内側に表編目ｂと同様に二重編目を形成し空間Ａが形成される。
【００２３】
裏糸ロが表編目ｂとｆの内側にニットによる二重編目形成を取ることと、表編目が編地の幅方向であるウエル方向に収縮することにより、空間Ａは安定した状態で、かつ、大きな空間を保つことができる。この図に対応する編方図は図７であり、表糸イによる表編目を形成させる給糸口▲１▼と裏糸ロによる裏編目を形成させる給糸口▲２▼の計２給糸口によって編成される。
【００２４】
このとき編機のカム形状を、給糸口▲２▼におけるシリンダー針Ｃ１〜Ｃ８を完全なニットクリア位置をとらないで上下させる形状と、シンカーを不均一に前後させるシンカーキャップの形状とすることで、本発明の二重構造シングル丸編地を容易に製造することができる。
【００２５】
本発明において、給糸口▲１▼で表糸イによるａ〜ｈの編目を編成した後、次の給糸口▲２▼で裏糸ロを編針Ｃ２、Ｃ６で編目を編成させる際、給糸口▲１▼における編針Ｃ２での編成後の編目ｂと編針Ｃ６での編成後の編目ｆをクリアさせないことで、図１に示す１編目二重ニット構造と裏糸の橋渡し形状による空間Ａを有する特殊な二層構造シングル丸編地が形成される。
【００２６】
また図２および図８は本発明の別の実施態様例を示す編地断面モデル図と編方図の例である。
【００２７】
ここでは、表編目は表糸イと表糸ニ、裏糸ロの３種類の構成糸により１コースを形成する。表糸イは表編目ｂ、ｄ、ｆ、ｈのニットとａ、ｃ、ｅ、ｇのウエルトの１編目交互に配置され、表糸ニは表編目ａ、ｃ、ｅ、ｇのニットとｂ、ｄ、ｆ、ｈのウエルトの１編目交互に配置されて１コースを形成する。
【００２８】
裏糸ロは表編目ｂとｆの内側に図１と同様に二重編目を形成すると同時に空間Ａを形成する。図８における使用給糸口は▲１▼、▲２▼、▲３▼の３給糸口を使用する。
【００２９】
図３および図９は本発明のさらに別の例を示す編地断面モデル図と編方図である。
【００３０】
表糸イと裏糸ロの２種類の構成糸で構成されている。表糸イはニットによる編目ｂ、ｄ、ｆ、ｈとタックによる編目ａ、ｃ、ｅ、ｇを交互に形成し編地表面を凹凸形状変化にすると同時に、裏糸ロが表編目ｂとｆの内側に二重編目を形成すると同時に空間Ａを形成する。この場合、図９に示すように▲１▼、▲２▼、▲３▼、▲４▼の計４給糸口で編成される。
【００３１】
このように本発明の二層構造シングル丸編地は、前述した従来の編地とは異なった裏糸の橋渡し形状により形成される空間Ａにより、優れた保温性が確保でき、また、前述した裏毛組織や一般的な両面丸編地に比べ、同等ボリューム感で１０％以上の軽量化が達成できる。
【００３２】
本発明の二層構造シングル丸編地において、特に、表糸をニット、タック、ウエルトの少なくとも２種を組み合わせた編目形状に編成することにより、編地表面変化もプレーン調からメッシュ調、鹿の子調、ツイル調、ヘリンボーン調など多彩に取れ、幅広い組織変化が可能である。
【００３３】
本発明の二重構造シングル丸編地は、１編目二重ニット構造となる二重編目部により、ストレッチ性を損なうことなく形態安定性や破裂強力、ピリング、スナッグなどの強度保持性を主とする物性安定性にも優れたものでとなる。
【００３４】
また本発明の二重構造シングル丸編地は、裏糸が二重編目部と二重編目部の間で橋渡し状となる橋渡し部により空気層が形成されるため、保温性が良好で軽量で嵩高な編物となる。この二重編目部と二重編目部の間隔は橋渡し部に空気層が形成されるものであれば特に限定されないが、生産性、狙い用途による物性面から、１編目以上２０編目以下が好ましい。
【００３５】
本発明において、表糸と裏糸の素材種も限定されることはなく、合成繊維のモノフィラメント糸、マルチフィラメント糸や仮ヨリ加工糸および紡績糸、天然繊維使いの紡績糸や合成繊維との混紡糸など適宜使用でき、各々を１００％使いもしくは他の糸と交編してもよい。
【００３６】
特に、合成繊維マルチフィラメント糸の原糸あるいは仮ヨリ加工糸を表裏に配置、または、表糸に綿糸などの天然繊維紡績糸、裏糸に合成繊維マルチフィラメント糸を配置することにより、より軽量嵩高性に優れ、かつ裏糸が橋渡し状となり各フィラメントがバラバラとなるため、衣料として用いると毛細管現象による吸汗速乾性に優れたものが得られる。
【００３７】
また、本発明では表糸、裏糸の太さも特に限定されず、編機のゲージによって異なるものの、２８ゲージ編機の場合は一本の糸として２０デニールから６００デニール程度まで使用できる。特に表糸に太い糸と細い糸を組合わせると、編地の表面変化がより大きく広がることになる点で好ましい。
【００３８】
一方、従来品と同一厚さ程度、同一嵩高性程度の編地においても、その目付が低いために、使用糸量も少なく効率的に低コストで製造できる。
【００３９】
本発明の二重構造シングル丸編地は、適宜選択することにより、シャツ地用途である薄地分野からトレーニングウェア用途のように中厚地分野までの生地展開が可能であり、次のように幅広い分野に展開可能である。例えば、衣料用としてはスポーツウェア類のトレーニングウェア、野球ユニフォーム、スエットスーツ、競技シャツ・パンツ、テニスシャツ、ゴルフシャツ、サイクルシャツなど、ユニフォーム類のワーキングユニフォーム、オフィスユニフォームなど、アウターウェア類のシャツ・ブラウス、ワンピース、ジャケット、パンツなど、イナンーウェア類の肌着などに好ましく使用される。また衣料用資材類としては裏地、芯地などにも好ましく使用され、その他、帽子、靴材、手袋、シーツなどにも使用可能である。
【００４０】
【実施例】
以下、本発明を実施例を用いて説明するが、実施例における各評価は次のとおり行なうものとする。
【００４１】
▲１▼嵩高度：次式により得られるものとする。
嵩高度（ｃｍ3 ／ｇ）＝ｔ／ｗ×１０００
ここで、ｔ：編地の厚さ（ｍｍ）、ｗ：編地の重さ（ｇ／ｍ2 ）を意味し、嵩高度が大きい程、嵩高性がありボリューム感に富むことを示す。本発明において、４．０ｃｍ3 ／ｇ以上を合格とする。
【００４２】
▲２▼軽量感、ボリューム感、ストレッチ性：編地の触覚評価を男女１０人で行ない、次の判定基準により判定を行なう。◎、○を合格とする。
◎：非常に優れている、○：優れている、×：劣っている
【００４３】
（実施例１）
２８ゲージのシングル丸編機にて、表糸イとしてポリエステル２００デニール９６フィラメントの仮ヨリ加工糸を、裏糸ロとしてポリエステル３００デニール９６フィラメントの仮ヨリ加工糸を用い、図７の編方図の給糸口▲１▼、▲２▼各々に給糸し、図１の編地断面モデル図で表される編物を編成した。
【００４４】
得られた生機の目付は１５０ｇ／ｍ2 であった。この生機を通常のポリエステル編物の染色加工法に従いリラックス・精練、染色、仕上げセットを行い、目付２３１ｇ／ｍ2 の編地を得た。得られた編地は厚さ１．２７ｍｍであり、嵩高度は５．５ｃｍ3 ／ｇであった。この編地はシングル丸編地でありながら、表１に示すとおり軽量感、ボリューム感、ストレッチ性に優れ、また洗濯収縮率などの形態安定性や、破裂強力、ピリング、スナッグなどの物性的にも優れたものであり、トレーニングウェアなどに適するものであった。
【００４５】
（実施例２）
実施例１と同じ丸編機を用い、表糸イと表糸ニとしてポリエステル３００デニール９６フィラメントの仮ヨリ加工糸を、裏糸ロとしてポリエステル６５％／綿３５％の混紡である２０番手の紡績糸を用い、図８の編方図の給糸口▲１▼、▲２▼、▲３▼各々に給糸し、図２の編地断面モデルで表される編地を編成した。得られた生機の目付は１６０ｇ／ｍ2 であった。
【００４６】
この生機を実施例１と同様に染色を行ない、目付２４０ｇ／ｍ2 の編地を得た。得られた編地は厚さ１．３５ｍｍであり、嵩高度は５．６ｃｍ3 ／ｇであった。この編地は実施例１と同様に、表１に示すとおり軽量感、ボリューム感、ストレッチ性、形態安定性および物性的にも優れたものであり、スエットスーツやトレーナーなどに適するものであった。
【００４７】
（実施例３）
実施例１と同じ丸編機を用い、表糸イとしてポリエステル１５０デニール４８フィラメントの仮ヨリ加工糸を、裏糸ロとしてレーヨン７５デニール３３フィラメントを用い、図９の編方図の給糸口▲１▼、▲３▼に表糸イを、▲２▼、▲４▼に裏糸ロを給糸して、図３の編地断面モデル図で表される編地を編成した。得られた生機の目付は１２０ｇ／ｍ2 であった。
【００４８】
この生機をポリエステル／レーヨン交編編地の通常の染色加工法に従い染色を行ない、目付１５２ｇ／ｍ2 の編地を得た。得られた編地は厚さ０．６１ｍｍであり、嵩高度は４．０ｃｍ3 ／ｇであった。この編地は表１に示す通り軽量感とボリューム感に優れると同時に表面変化も凹凸状の形状をなし、かつストレッチ性、形態安定性および物性的にも優れたものであり、婦人用のシャツ・ブラウスなどに適するものであった。
【００４９】
（比較例１）
通常の２８ゲージのシングル丸編機にて、表糸イとして実施例１と同じポリエステル２００デニール９６フィラメントの仮ヨリ加工糸を用い、図１０の編方図の給糸口▲１▼に給糸して図５の編地断面モデル図で表される天竺組織の編地を編成した。得られた生機の目付は１５１ｇ／ｍ2 であった。この生機を実施例１と同様に染色し、目付１８５ｇ／ｍ2 の編地を得た。
【００５０】
得られた編地は表１に示すとおり厚さ０．６２ｍｍであり、嵩高度は３．４ｃｍ3 ／ｇであった。この編地は実施例１の編地に比べ薄く、嵩高度も低く、かつ物性的にも不安定ものであった。
【００５１】
（比較例２）
比較例１と同じ丸編機にて、表糸として実施例１と同じポリエステル２００デニール９６フィラメントの仮ヨリ加工糸を、表糸ニとして実施例１と同じてポリエステル３００デニール９６フィラメントの仮ヨリ加工糸を用い、図１１の編方図の給糸口▲１▼、▲２▼各々に給糸し、図５の編地断面モデル図で表される天竺変形組織の編地を編成した。得られた生機の目付は１７１ｇ／ｍ2 であった。
【００５２】
この生機を実施例１と同様に染色を行い、目付１９７ｇ／ｍ2 の編地を得た。得られた編地は表１に示すとおり厚さ０．７３ｍｍであり、嵩高度は３．７ｃｍ3 ／ｇであった。この編地は実施例１の編地に比べ薄く、嵩高度も低く、かつ、物性的にも不安定ものであった。
【００５３】
（比較例３）
２８ゲージの裏毛編機にて、表糸イとして実施例２と同じポリエステル３００デニール９６フィラメントの仮ヨリ加工糸を、中糸ハとしてポリエステル１５０デニール４８フィラメントの仮ヨリ加工糸を、裏糸ロ（挿入糸）として実施例２と同じポリエステル６５％／綿３５％の混紡である２０番手の紡績糸を用い、図１２の編方図の給糸口▲１▼、▲２▼各々に給糸し、図６の編地断面モデル図で表される裏毛組織の編物を編成した。得られた生機の目付は３１１ｇ／ｍ2 であった。この生機を実施例１と同様に染色し、目付３５４ｇ／ｍ2 の編地を得た。得られた編地は、表１に示す通り厚さ１．８２ｍｍであり、嵩高度は５．１ｃｍ3 ／ｇであった。この編地は目付が重く軽量感がなく、かつ、ストレッチ性にも劣るものであった。
【００５４】
以上の結果を表１に示す。
【００５５】
【表１】
0003923135.tif 000002
【００５６】
【発明の効果】
本発明の二層構造シングル丸編地は、従来のシングル丸編地に比べ、軽量嵩高性による着用快適性と形態安定性、機械強度などを具備し、スポーツウェア、ユニフォームウェア、アウターウェア、肌着などの衣料用および裏地、靴材などの資材用に適した優れた編地であり、効率よく、低コストで製造可能である。
【図面の簡単な説明】
【図１】  本発明の二層構造シングル丸編地の一例を示す編地断面モデル図である。
【図２】  本発明の二層構造シングル丸編地のその他の例を示す編地断面モデル図である。
【図３】  本発明の二層構造シングル丸編地のその他の例を示す編地断面モデル図である。
【図４】  天竺組織の編地断面モデル図である。
【図５】  天竺変形組織の編地断面モデル図である。
【図６】  裏毛組織の編地断面モデル図である。
【図７】  図１の編地の編方図である。
【図８】  図２の編地の編方図である。
【図９】  図３の編地の編方図である。
【図１０】  図４の編地の編方図である。
【図１１】  図５の編地の編方図である。
【図１２】  図６の編地の編方図である。
【符号の説明】
ａ〜ｈ：表編目
イ、ニ：表糸
ロ：裏糸
ハ：中糸
Ａ：表編目と裏糸の間に形成される空間
Ｃ１〜Ｃ８：編針
【図１】
0003923135.tif 000003
【図２】
0003923135.tif 000004
【図３】
0003923135.tif 000005
【図４】
0003923135.tif 000006
【図５】
0003923135.tif 000007
【図６】
0003923135.tif 000008
【図７】
0003923135.tif 000009
【図８】
0003923135.tif 000010
【図９】
0003923135.tif 000011
【図１０】
0003923135.tif 000012
【図１１】
0003923135.tif 000013
【図１２】
0003923135.tif 000014